(57)【要約】【課題】遊技性を向上する。【解決手段】第１３入賞口４４の開閉体ｂ；ｃおよび第１７入賞口４８の開閉体ｂ；ｃが開放した場合、第１７入賞口４８の開閉体ｂの上端部が第１７入賞口４８の開閉体ｂの上端部よりも下側に位置し、第１７入賞口４８の開閉体ｂと第１７入賞口４８の開閉体ｂとの間に球の通過可能な隙間が形成されているので、遊技領域１３を流下する球が、矢印Ｘ１で示すように風車５４に衝突して支持体５７の左側から障害釘５５と誘導釘５６との間を左に曲がるように通過して第１７入賞口４８の開閉体ｂの上端部に衝突して上方左側に跳ね返った後、矢印Ｘ２で示すように第１３入賞口４４の開閉体ｃの上端部を飛び越えて、第１３入賞口４４に入賞する可能性は高くなるものの、第１３入賞口４４に入賞しないで第１３入賞口４４の開閉体ｃと第１７入賞口４８の開閉体ｂとの間を落下する可能性もあり、遊技性が高くなる。【選択図】図１
2007289547.tif 000002
【特許請求の範囲】
【請求項１】
遊技基盤の前面に設けられた遊技領域と、遊技盤の遊技領域に設けられた特定入賞口と、特定入賞口への球の入賞によって開放される左右一対の開閉体を有しかつ遊技領域に左右に並んで設けられた複数の可変入賞口とを備えたパチンコ遊技機の遊技盤において、複数の可変入賞口の開閉体が開放された場合、内側の可変入賞口の開閉体の上端部が外側の可変入賞口の開閉体の上端部よりも上に位置し、内側の可変入賞口の開閉体の上端部と外側の可変入賞口の開閉体の上端部との間に球の通過可能な隙間が形成されたことを特徴とするパチンコ遊技機の遊技盤。
【請求項２】
請求項１記載の外側の可変入賞口が遊技領域を囲むガイドレールに最も近接配置されたことを特徴とするパチンコ遊技機の遊技盤。
【発明の詳細な説明】
【技術分野】
【０００１】
本発明は、外側の可変入賞口に球が入賞し易くなるパチンコ遊技機の遊技盤に関する。
【背景技術】
【０００２】
パチンコ遊技機の遊技盤には、特定入賞口への球の入賞によって、チューリップタイプの複数の入賞部品が左右一対の開閉体を一斉に開くようにしたものが知られている。しかしながら、複数の入賞部品が左右一対の開閉体を開いた場合、上段における入賞部品の開閉体が下段における入賞部品の開閉体を上側で覆うように開き、遊技領域を流下する球がいずれかの入賞部品に必ず入賞するので、遊技性に欠けるという欠点がある。
【特許文献１】特公昭６０−１０２４号公報
【特許文献２】実開昭５８−７３２８０号公報
【特許文献３】実開昭６３−１３００８８号公報
【特許文献４】実開昭５６−１２７７８６号公報
【発明の開示】
【発明が解決しようとする課題】
【０００３】
発明が解決しようとする問題点は、複数の入賞部品が左右一対の開閉体を開いた場合、遊技領域を流下する球がいずれかの入賞部品に必ず入賞し、遊技性に欠けるという点である。
【課題を解決するための手段】
【０００４】
本発明に係るパチンコ遊技機の遊技盤は、遊技基盤の前面に設けられた遊技領域と、遊技盤の遊技領域に設けられた特定入賞口と、特定入賞口への球の入賞によって開放される左右一対の開閉体を有しかつ遊技領域に左右に並んで設けられた複数の可変入賞口とを備えたパチンコ遊技機の遊技盤において、複数の可変入賞口の開閉体が開放された場合、内側の可変入賞口の開閉体の上端部が外側の可変入賞口の開閉体の上端部よりも上に位置し、内側の可変入賞口の開閉体の上端部と外側の可変入賞口の開閉体の上端部との間に球の通過可能な隙間が形成されたことを最も主要な特徴とする。外側の可変入賞口が遊技領域を囲むガイドレールに最も近接配置されてもよい。
【発明の効果】
【０００５】
本発明に係るパチンコ遊技機の遊技盤は、遊技基盤の遊技領域に左右に並んで設けられた複数の可変入賞口の開閉体が開放した状態において、遊技領域を流下する球が内側の可変入賞口の開閉体の上端部に衝突して上方外側に跳ね返った後、外側の可変入賞口の開閉体の上端部を飛び越えて、外側の可変入賞口に入賞する可能性は高くなるものの、外側の可変入賞口に入賞しないで外側の可変入賞口の開閉体と内側の可変入賞口の開閉体との間の隙間を落下する可能性もあるので、遊技性が高くなるという利点がある。外側の可変入賞口が遊技領域を囲むガイドレールに最も近接配置されれば、遊技領域に左右に並んで設けられる可変入賞口の個数を多くした場合において、遊技者が入賞を狙いづらいガイドレールに最も近接配置された可変入賞口にも球が入賞し易くなるという利点がある。
【発明を実施するための最良の形態】
【０００６】
図１乃至図５は、発明を実施するための最良の形態である。図１は、遊技盤２の上段および下段の入賞口周りの球の流れを示す。図２は、遊技盤２の上段および下段の入賞口の相互関係を示す。図３は、遊技盤２の正面を示す。図４は、パチンコ遊技機の正面を示す。図５は、第１乃至第１１入賞部品２１乃至３１と第１乃至第２２入賞口３２乃至５３と払出と連動との相互関係を示す。本明細書において、「前」、「表」、「後」、「裏」、「左」、「右」、「上」、「下」の方向は、図３の状態に遊技機枠１および遊技盤２を置いて図３の紙面の表側から見た場合に特定される方向である。「前」および「表」は、同じ方向である。「後」および「裏」は、同じ方向である。
【０００７】
図３を参照し、遊技盤２の正面の構造について説明する。遊技盤２は、遊技基盤２Ａの前面に、遊技領域１３を備える。遊技領域１３は、遊技盤２の前面の内ガイドレール１４および外ガイドレール１５で囲まれた部分である。遊技領域１３の左側には、球発射通路１６が接続される。球発射通路１６は、内ガイドレール１４の左側部と外ガイドレール１５の左側部との間の隙間によって形成される。遊技領域１３には、アウト口１７、球戻り防止弁１８、球反発体１９、遊技釘２０、第１入賞部品２１、第２入賞部品２２、第３入賞部品２３、第４入賞部品２４、第５入賞部品２５、第６入賞部品２６、第７入賞部品２７、第８入賞部品２８、第９入賞部品２９、第１０入賞部品３０、第１１入賞部品３１が設けられる。
【０００８】
第１入賞部品２１は、第１入賞口３２を備える。第２入賞部品２２は、第２入賞口３３を備える。第３入賞部品２３は、第３入賞口３４、第４入賞口３５、第５入賞口３６、第６入賞口３７、第７入賞口３８、第８入賞口３９、第９入賞口４０、第１０入賞口４１、第１１入賞口４２、第１２入賞口４３からなる１０個の入賞口を備える。第４入賞部品２４は、第１３入賞口４４、第１４入賞口４５を備える。第５入賞部品２５は、第１５入賞口４６、第１６入賞口４７を備える。第６入賞部品２６は、第１７入賞口４８を備える。第７入賞部品２７は、第１８入賞口４９を備える。第８入賞部品２８は、第１９入賞口５０を備える。第９入賞部品２９は、第２０入賞口５１を備える。第１０入賞部品３０は、第２１入賞口５２を備える。第１１入賞部品３１は、第２２入賞口５３を備える。
【０００９】
第１乃至第７入賞口３２乃至３８、第１２入賞口４３、第１４入賞口４５、第１６入賞口４７は、球を取り入れるための口の大きさが不変な入賞口として構成される。第８乃至第１１入賞口３９乃至４２は、遊技領域１３から球を取り入れるための球入口の大きさが可変な入賞口として、球入口の前部両側に一体の開閉体ａを個別に備え、開閉体ａが垂直姿勢から下部を中心として前側に開放されて前傾姿勢になることによって球入口に球を入れることが可能になり、開閉体ａが前傾姿勢から下部を中心として後側に閉鎖され垂直姿勢になることによって球入口に球を入れることが不可能になるように、構成される。
【００１０】
第１３入賞口４４、第１５入賞口４６、第１７乃至第２２入賞口４８乃至５３は、遊技領域１３から球を取り入れるための球入口の大きさが可変な入賞口として、球入口の前部両側に左右一対の開閉体ｂ；ｃを備え、左の開閉体ｂが垂直姿勢から下部を中心として左側に開放されて左斜め姿勢になり、右の開閉体ｃが垂直姿勢から下部を中心として右側に開放されて右斜め姿勢になることによって球入口に球を入れることが可能になり、左の開閉体ｂが左斜め姿勢から下部を中心として右側に閉鎖されて垂直姿勢になり、右の開閉体ｃが右斜め姿勢から下部を中心として左側に閉鎖されて垂直姿勢になることによって球入口に球を入れることが不可能になるように、構成される。
【００１１】
第１入賞口３２、第２入賞口３３、第５乃至第２２入賞口３６乃至５３は、入賞した球を遊技盤２の裏側に排出する。第３入賞口３４、第４入賞口３５は、入賞した球を第５乃至第７入賞口３６乃至３８のいずれかに必ず入賞するように第３入賞部品２３の前部に形成された部屋で下方に落下する。第１乃至第４入賞口３２乃至３５、第８乃至第２２入賞口３９乃至５３に球が入賞すると、図外の球払出機構が賞球を払い出す。第５乃至第７入賞口３６乃至３８に球が入賞しても、球払出機構が賞球を払い出さない。
【００１２】
第５入賞口３６または遊技領域１３から第１４入賞口４５のいずれかに入賞した球は、遊技盤２の裏側に排出され、遊技盤２の裏部に設けられた図外の球通路を経由して第１３入賞口４４の開閉体ｂ；ｃを開放する。第８入賞口３９の開閉体ａまたは第９入賞口４０の開閉体ａが開放中において、遊技領域１３から第８入賞口３９または第９入賞口４０のいずれかに入賞した球は、第８入賞口３９の開閉体ａまたは第９入賞口４０の開閉体ａを閉鎖し、遊技盤２の裏側に排出され、遊技盤２の裏部に設けられた図外の球通路を経由して第１３入賞口４４の開閉体ｂ；ｃを開放する。第６入賞口３７に入賞した球は、遊技盤２の裏側に排出され、遊技盤２の裏部に設けられた図外の球通路を経由して第８乃至第１１入賞口３９乃至４２の開閉体ａと第１７乃至第１９入賞口４８乃至５０および第２１入賞口５２の開閉体ｂ；ｃを開放する。
【００１３】
第７入賞口３８または遊技領域１３から第１６入賞口４７のいずれかに入賞した球は、遊技盤２の裏側に排出され、遊技盤２の裏部に設けられた図外の球通路を経由して第１５入賞口４６の開閉体ｂ；ｃを開放する。第１０入賞口４１の開閉体ａまたは第１１入賞口４２の開閉体ａが開放中において、遊技領域１３から第１０入賞口４１または第１１入賞口４２のいずれかに入賞した球は、第１０入賞口４１の開閉体ａまたは第１１入賞口４２の開閉体ａを閉鎖し、遊技盤２の裏側に排出され、遊技盤２の裏部に設けられた図外の球通路を経由して第１５入賞口４６の開閉体ｂ；ｃを開放する。
【００１４】
第１３入賞口４４の開閉体ｂ；ｃが開放中において、遊技領域１３から第１３入賞口４４に入賞した球は、第１３入賞口４４の開閉体ｂ；ｃを閉鎖し、遊技盤２の裏側に排出される。第１７入賞口４８の開閉体ｂ；ｃが開放中において、遊技領域１３から第１７入賞口４８に入賞した球は、第１７入賞口４８の開閉体ｂ；ｃを閉鎖し、遊技盤２の裏側に排出され、遊技盤２の裏部に設けられた図外の球通路を経由して第２０入賞口５１の開閉体ｂ；ｃを開放する。第１８入賞口４９の開閉体ｂ；ｃが開放中において、遊技領域１３から第１８入賞口４９に入賞した球は、第１８入賞口４９の開閉体ｂ；ｃを閉鎖し、遊技盤２の裏側に排出され、遊技盤２の裏部に設けられた図外の球通路を経由して第２１入賞口５２の開閉体ｂ；ｃを開放する。第１９入賞口５０の開閉体ｂ；ｃが開放中において、遊技領域１３から第１９入賞口５０に入賞した球は、第１９入賞口５０の開閉体ｂ；ｃを閉鎖し、遊技盤２の裏側に排出され、遊技盤２の裏部に設けられた図外の球通路を経由して第２２入賞口５３の開閉体ｂ；ｃを開放する。
【００１５】
第２０入賞口５１の開閉体ｂ；ｃが開放中において、遊技領域１３から第２０入賞口５１に入賞した球は、第２０入賞口５１の開閉体ｂ；ｃを閉鎖し、遊技盤２の裏側に排出される。第２１入賞口５２の開閉体ｂ；ｃが開放中において、遊技領域１３から第２１入賞口５２に入賞した球は、第２１入賞口５２の開閉体ｂ；ｃを閉鎖し、遊技盤２の裏側に排出される。第２２入賞口５３の開閉体ｂ；ｃが開放中において、遊技領域１３から第２２入賞口５３に入賞した球は、第２２入賞口５３の開閉体ｂ；ｃを閉鎖し、遊技盤２の裏側に排出される。第１８入賞口４９の開閉体ｂ；ｃおよび第２１入賞口５２の開閉体ｂ；ｃが開放中においては、球が第１８入賞口４９に入賞するよりも先の時点で第２１入賞口５２に入賞した方が、球が第２１入賞口５２に入賞するよりも先の時点で第１８入賞口４９に入賞するよりも、有利である。
【００１６】
その理由は、球が第１８入賞口４９に入賞するよりも先の時点で第２１入賞口５２に入賞すれば、第２１入賞口５２への入賞に伴い第２１入賞口５２の開閉体ｂ；ｃが閉鎖した後に、第１８入賞口４９への入賞に伴い第２１入賞口５２の開閉体ｂ；ｃが再び開放するからである。換言すると、球が第１８入賞口４９に入賞するよりも先の時点で第２１入賞口５２に入賞した場合に賞球として払い出される球の個数は、球が第２１入賞口５２に入賞するよりも先の時点で第１８入賞口４９に入賞した場合に賞球として払い出される球の個数よりも多くなるからである。
【００１７】
つまり、第５入賞口３６に球が入賞した場合、賞球が払い出されず、第１３入賞口４４の開閉体ｂ；ｃが開放する。第６入賞口３７に球が入賞した場合、賞球が払い出されず、第８乃至第１１入賞口３９乃至４２の開閉体ａと第１７乃至第１９入賞口４８乃至５０および第２１入賞口５２の開閉体ｂ；ｃが開放する。第７入賞口３８に球が入賞した場合、賞球が払い出されず、第１５入賞口４６の開閉体ｂ；ｃが開放する。第８入賞口３９または第９入賞口４０または第１４入賞口４５に球が入賞した場合、賞球が払い出され、第１３入賞口４４の開閉体ｂ；ｃが開放する。第１０入賞口４１または第１１入賞口４２または第１６入賞口４７に球が入賞した場合、賞球が払い出され、第１５入賞口４６の開閉体ｂ；ｃが開放する。第１７入賞口４８に球が入賞した場合、賞球が払い出され、第２０入賞口５１の開閉体ｂ；ｃが開放する。第１８入賞口４９に球が入賞した場合、賞球が払い出され、第２１入賞口５２の開閉体ｂ；ｃが開放する。第１９入賞口５０に球が入賞した場合、賞球が払い出され、第２２入賞口５３の開閉体ｂ；ｃが開放する（図５参照）。
【００１８】
よって、第６入賞口３７は、第４乃至第１１入賞部品２４乃至３１の開閉体ｂ；ｃを開放するというように、第４乃至第１１入賞部品２４乃至３１の球入口が球を取り入れることができるように可変されるきっかけを作る特定入賞口を構成する。第４乃至第８入賞部品２４乃至２８は、第６入賞口３７への球の入賞によって、球入口が球を取り入れることができるように直接的または間接的に可変される可変入賞口を有し、かつ、第３入賞部品２３よりも下部で遊技領域１３に左右に並んで設けられた上段における複数の入賞部品を構成する。換言すると、第６乃至第８入賞部品２６乃至２８は、第６入賞口３７への球の入賞によって、球入口が球を取り入れることができるように直接的に可変される可変入賞口を有する入賞部品を構成する。第６入賞口３７への球の入賞によって、第８乃至第１１入賞口３９乃至４２の開閉体ａが開放し、その状態において、遊技領域１３から別の球が第８入賞口３９または第９入賞口４０に入賞すると、第４入賞部品２４の球入口が球を取り入れることができるように可変し、遊技領域１３から別の球が第１０入賞口４１または第１１入賞口４２に入賞すると、第５入賞部品２５の球入口が球を取り入れることができるように可変されるから、第４入賞部品２４および第５入賞部品２５は、第６入賞口３７への球の入賞によって、球入口が球を取り入れることができるように間接的に可変される可変入賞口を有する入賞部品を構成する。第４入賞部品２４および第５入賞部品２５は、第６入賞口３７への球の入賞によって、球入口が球を取り入れることができるように可変される可能性がある。
【００１９】
第１３入賞口４４、第１５入賞口４６、第１７乃至第１９入賞口４８乃至５０は、第６入賞口３７への球の入賞によって、球入口が球を取り入れることができるように直接的または間接的に開放される左右一対の開閉体ｂ；ｃを有し、かつ、第６入賞口３７よりも下部で遊技領域１３に左右に並んで設けられた上段における複数の可変入賞口を構成する。換言すると、第１７乃至第１９入賞口４８乃至５０は、第６入賞口３７への球の入賞によって、球入口が球を取り入れることができるように直接的に開放される左右一対の開閉体ｂ；ｃを有する複数の可変入賞口を構成する。第６入賞口３７への球の入賞によって、第８乃至第１１入賞口３９乃至４２の開閉体ａが開放し、その状態において、遊技領域１３から別の球が第８入賞口３９または第９入賞口４０に入賞すると、第１３入賞口４４の開閉体ｂ；ｃが開放し、遊技領域１３から別の球が第１０入賞口４１または第１１入賞口４２に入賞すると、第１５入賞口４６の開閉体ｂ；ｃが開放するから、第１３入賞口４４および第１５入賞口４６は、第６入賞口３７への球の入賞によって、球入口が球を取り入れることができるように間接的に開放される左右一対の開閉体ｂ；ｃを有する複数の可変入賞口を構成する。第１３入賞口４４および第１５入賞口４６は、第６入賞口３７への球の入賞によって、開放される可能性のある左右一対の開閉体ｂ；ｃを有する。
【００２０】
第９乃至第１１入賞部品２９乃至３１は、第６入賞口３７への球の入賞によって、球入口が球を取り入れることができるように直接的または間接的に可変される可変入賞口を有し、かつ、第４乃至第８入賞部品２４乃至２８よりも下部で遊技領域１３に左右に並んで設けられた下段における複数の入賞部品を構成する。換言すると、第１０入賞部品３０は、第６入賞口３７への球の入賞によって、球入口が球を取り入れることができるように直接的に可変される可変入賞口を有する入賞部品を構成する。第６入賞口３７への球の入賞によって、第１７乃至第２０入賞口４８乃至５０の開閉体ｂ；ｃが開放し、その状態において、遊技領域１３から別の球が第１７入賞口４８に入賞すると、第９入賞部品２９の球入口が球を取り入れることができるように可変し、遊技領域１３から別の球が第１９入賞口５０に入賞すると、第１１入賞部品３１の球入口が球を取り入れることができるように可変されるから、第９入賞部品２９および第１１入賞部品３１は、第６入賞口３７への球の入賞によって、球入口が球を取り入れることができるように間接的に可変される可変入賞口を有する入賞部品を構成する。第９入賞部品２９および第１１入賞部品３１は、第６入賞口３７への球の入賞によって、球入口が球を取り入れることができるように可変される可能性がある。
【００２１】
第２０乃至第２２入賞口５１乃至５３は、第６入賞口３７への球の入賞によって、球入口が球を取り入れることができるよう直接的または間接的に開放される左右一対の開閉体ｂ；ｃを有し、かつ、第１３入賞口４４、第１５入賞口４６、第１７乃至第１９入賞口４８乃至５０よりも下部で遊技領域１３に左右に並んで設けられた下段における複数の可変入賞口を構成する。換言すると、第２１入賞口５２は、第６入賞口３７への球の入賞によって、球入口が球を取り入れることができるように直接的に開放される左右一対の開閉体ｂ；ｃを有する複数の可変入賞口を構成する。第６入賞口３７への球の入賞によって、第１７乃至第１９入賞口４８乃至５０の開閉体ｂ；ｃが開放し、その状態において、遊技領域１３から別の球が第１７入賞口４８に入賞すると、第２０入賞口５１の開閉体ｂ；ｃが開放し、遊技領域１３から別の球が第１９入賞口５０に入賞すると、第２２入賞口５３の開閉体ｂ；ｃが開放するから、第２０入賞口５１および第２２入賞口５３は、第６入賞口３７への球の入賞によって、球入口が球を取り入れることができるように間接的に開放される左右一対の開閉体ｂ；ｃを有する複数の可変入賞口を構成する。第２０入賞口５１および第２２入賞口５３は、第６入賞口３７への球の入賞によって、開放される可能性のある左右一対の開閉体ｂ；ｃを有する。
【００２２】
図２を参照し、第４乃至第１１入賞部品２４乃至３１の相互関係について説明する。上段において、第１３入賞口４４、第１５入賞口４６、第１７乃至第１９入賞口４８乃至５０における全部の開閉体ｂ；ｃが開放した場合、中央における第１８入賞口４９の開閉体ｂ；ｃの上端部がその両側における第１７および第１９入賞口４８；５０の開閉体ｂ；ｃの上端部よりも距離ｄ１だけ上に位置し、第１７および第１９入賞口４８；５０の開閉体ｂ；ｃの上端部がその両側における第１３および第１５入賞口４４；４６の開閉体ｂ；ｃの上端部よりも距離ｄ２だけ上に位置する。
【００２３】
つまり、第１３入賞口４４、第１５入賞口４６、第１７乃至第１９入賞口４８乃至５０において、全部の開閉体ｂ；ｃが開放した場合、開閉体ｂ；ｃの上端部が中央から左右方向に行くにしたがって下に位置する。しかも、第１３入賞口４４における右の開閉体ｃと第１７入賞口４８における左の開閉体ｂとの間の隙間ｄ３、第１７入賞口４８における右の開閉体ｃと第１８入賞口４９における左の開閉体ｂとの間の隙間ｄ４、第１８入賞口４９における右の開閉体ｃと第１９入賞口５０における左の開閉体ｂとの間の隙間ｄ５、第１９入賞口５０における右の開閉体ｃと第１５入賞口４６における左の開閉体ｂとの間の隙間ｄ６は、１個の球が上から下に通過可能であるが、２個の球が横に並んで上から下に通過不可能な寸法に構成される。内ガイドレール１４と第１３入賞口４４の開閉体ｂとの間の隙間ｄ７、内ガイドレール１４と第１５入賞口４６の開閉体ｃとの間の隙間ｄ８は、複数の球が横に並んで上から下に通過可能な寸法に構成される。
【００２４】
よって、第１７乃至第１９入賞口４８乃至５０の開閉体ｂ；ｃおよび第２１入賞口５２の開閉体ｂ；ｃが開放した状態において、遊技領域１３を流下する球が第１８入賞口４９の開閉体ｂの上端部に衝突して上方左側に跳ね返って第１７入賞口４８の開閉体ｃの上端部を飛び越えて第１７入賞口４８に入賞するか或いは第１８入賞口４９の開閉体ｂと第１７入賞口４８の開閉体ｃとの間の隙間ｄ４を落下し、または、遊技領域１３を流下する球が第１８入賞口４９の開閉体ｃの上端部に衝突して上方右側に跳ね返って第１９入賞口５０の開閉体ｂの上端部を飛び越えて第１９入賞口５０に入賞するか或いは第１８入賞口４９の開閉体ｃと第１９入賞口５０の開閉体ｂとの間の隙間ｄ５を落下する。
【００２５】
また、第１３入賞口４４の開閉体ｂ；ｃおよび第１７入賞口４８の開閉体ｂ；ｃが開放した状態において、遊技領域１３を流下する球が第１７入賞口４８の開閉体ｂの上端部に衝突して上方左側に跳ね返って第１３入賞口４４の開閉体ｃの上端部を飛び越えて第１３入賞口４４に入賞するか或いは第１３入賞口４４の開閉体ｃと第１７入賞口４８の開閉体ｂとの間の隙間ｄ３を落下する。また、第１５入賞口４６の開閉体ｂ；ｃおよび第１９入賞口５０の開閉体ｂ；ｃが開放した状態において、遊技領域１３を流下する球が第１９入賞口５０の開閉体ｃの上端部に衝突して上方右側に跳ね返って第１５入賞口４６の開閉体ｂの上端部を飛び越えて第１５入賞口４６に入賞するか或いは第１５入賞口４６の開閉体ｂと第１９入賞口５０の開閉体ｃとの間の隙間ｄ６を落下する。
【００２６】
このため、第１３入賞口４４の開閉体ｂ；ｃ、第１５入賞口４６の開閉体ｂ；ｃ、第１７乃至第１９入賞口４８乃至５０の開閉体ｂ；ｃが開放した場合、第１８入賞口４９よりも外側に位置する第１７入賞口４８または第１９入賞口５０に入賞し易く、第１７入賞口４８よりも外側に位置する第１３入賞口４４に入賞し易く、第１９入賞口５０よりも外側に位置する第１５入賞口４６に入賞し易くなるものの、第１３入賞口４４や第１５入賞口４６や第１７入賞口４８および第１９入賞口５０に入賞することなく隙間ｄ３乃至ｄ６を落下することも発生する。つまり、上段における第１３乃至第１９入賞口４４乃至５０の開閉体ｂ；ｃが開放した場合、遊技領域１３を流下する球が第１３乃至第１９入賞口４４乃至５０のいずれかに入賞する可能性は高くなるものの、第１３乃至第１９入賞口４４乃至５０のいずれにも入賞しないで落下する可能性もあるので、遊技性が高くなるという利点がある。
【００２７】
下段において、第２０乃至第２２入賞口５１乃至５３において、全部の開閉体ｂ；ｃが開放した場合、中央における第２１入賞口５２の開閉体ｂ；ｃの上端部がその両側における第２０および第２２入賞口５１；５３の開閉体ｂ；ｃの上端部よりも距離ｄ９；ｄ１０だけ下に位置する。つまり、第２０乃至第２２入賞口５１乃至５３において、全部の開閉体ｂ；ｃが開放した場合、開閉体ｂ；ｃの上端部が左右から中央の方向に行くにしたがって下に位置する。しかも、第２０入賞口５１における右の開閉体ｃと第２１入賞口５２における左の開閉体ｂとの間の隙間ｄ１１、第２１入賞口５２における右の開閉体ｃと第２２入賞口５３における左の開閉体ｂとの間の隙間ｄ１２は、１個の球が上から下に通過可能であるが、２個の球が横に並んで上から下に通過不可能な寸法に構成される。内ガイドレール１４と第２０入賞口５１の開閉体ｂとの間の隙間ｄ１３、内ガイドレール１４と第２２入賞口５３における右の開閉体ｂとの間の隙間ｄ１４は、複数の球が横に並んで上から下に通過可能な寸法に構成される。
【００２８】
よって、第２０乃至第２２入賞口５１乃至５３の開閉体ｂ；ｃが開放した状態において、遊技領域１３を流下する球が第２０入賞口５１の開閉体ｃの上端部に衝突して上方右側に跳ね返って第２１入賞口５２の開閉体ｂの上端部を飛び越えて第２１入賞口５２に入賞するか或いは第２０入賞口５１の開閉体ｃと第２１入賞口５２の開閉体ｂとの間の隙間ｄ１１を落下し、または、遊技領域１３を流下する球が第２２入賞口５３の開閉体ｂの上端部に衝突して上方左側に跳ね返って第２１入賞口５２の開閉体ｃの上端部を飛び越えて第２１入賞口５２に入賞するか或いは第２１入賞口５２の開閉体ｃと第２２入賞口５３の開閉体ｂとの間の隙間ｄ１２を落下する。
【００２９】
このため、第２０乃至第２２入賞口５１乃至５３の開閉体ｂ；ｃが開放した場合、第２０入賞口５１よりも内側に位置する第２１入賞口５２に入賞し易くなるものの、第２０乃至第２２入賞口５１乃至５３に入賞することなく隙間ｄ１１；ｄ１２を落下することも発生する。つまり、下段における第２０乃至第２２入賞口５１乃至５３の開閉体ｂ；ｃが開放した場合、遊技領域１３を流下する球が第２０乃至第２２入賞口５１乃至５３のいずれかに入賞する可能性は高くなるものの、第２０乃至第２２入賞口５１乃至５３のいずれにも入賞しないで落下する可能性もあるので、遊技性が高くなるという利点がある。
【００３０】
図１を参照し、第１３入賞口４４の開閉体ｂ；ｃおよび第１７入賞口４８の開閉体ｂ；ｃが開放した状態における球の流れ方について説明する。遊技領域１３には、風車５４や障害釘５５或いは誘導釘５６が、第１７入賞口４８よりも上部に設けられる。風車５４は、遊技領域１３を流下する球が風車５４に衝突することによって、遊技基盤２Ａに固定された支持体５７を中心として遊技領域１３と平行な方向に回転し、衝突した球を風車５４の左側または右側に振り分ける。障害釘５５は、遊技釘２０に相等する複数の遊技釘によって構成され、遊技領域１３を流下する球が障害釘５５に衝突して左側または右側に振り分けられることによって、当該球が第１３入賞口４４における閉鎖中の開閉体ｂ；ｃの相対峙する隙間に取り込まれないようにする。誘導釘５６は、遊技釘２０に相等する複数の遊技釘からなる連釘として、上から下に行くに従って支持体５７の側から第１３入賞口４４の開閉体ｃの側に傾斜する斜面を構成する。風車５４と障害釘５５と誘導釘５６との相互間には、球の通過可能な隙間が形成される。
【００３１】
そして、第１３入賞口４４の開閉体ｂ；ｃおよび第１７入賞口４８の開閉体ｂ；ｃが開放した状態において、遊技領域１３を流下する球が、矢印Ｘ１で示すように風車５４に衝突して支持体５７の左側から障害釘５５と誘導釘５６との間を左に曲がるように通過して第１７入賞口４８の開閉体ｂの上端部に衝突して上方左側に跳ね返った後、矢印Ｘ２で示すように第１３入賞口４４の開閉体ｃの上端部を飛び越えて、第１３入賞口４４に入賞する可能性は高くなるものの、第１３入賞口４４に入賞しないで第１３入賞口４４の開閉体ｃと第１７入賞口４８の開閉体ｂとの間を落下する可能性もあるので、遊技性が高くなるという利点がある。
【００３２】
図４を参照し、パチンコ遊技機の構造について説明する。パチンコ遊技機は、大まかには、遊技機枠１の内部に遊技盤２を交換可能に格納した形態である。遊技盤２が遊技機枠１に格納された場合、遊技領域１３が遊技機枠１の前側から窓９および前面パネル１０を経由して視認される。遊技機枠１は、固定枠３の前側に可動枠４を開閉可能に備え、可動枠４の前側に前扉５および皿構造体６を開閉可能に備える。固定枠３は、遊技機設置構造体に取り付けるための外枠とも呼ばれる。遊技機設置構造体は、遊技店のパチンコ遊技機を設置する島とも呼ばれる設備である。可動枠４は、遊技盤２、球発射機構７、図外の球払出機構など遊技に必要な部品を取り付ける前枠とも呼ばれる。前扉５は、パネル枠とも呼ばれ、前後方向に貫通する窓９を備える。窓９は、前面パネル１０で塞がれる。前面パネル１０は、前扉５の裏面に設けられた光透過性の有る無色なガラスのような板状の部材により構成される。皿構造体６の前面には、球受皿部１１および球発射操作機構１２が設けられる。
【００３３】
そして、球受皿部１１にパチンコ球と呼ばれる球が入れられた状態において、遊技者が球発射操作機構１２を操作すると、球発射機構７が球受皿部１１から供給された球を球発射操作機構１２の操作量に対応した発射出力で１個ずつ遊技盤２の側である上方に向けて発射する。球発射機構７から上方に発射された球は、球発射通路１６から球戻り防止弁１８を押し開けて遊技領域１３の上部に到達する。遊技領域１３の上部に到達した球は、自重で遊技領域１３を流下する過程において、第１乃至第１１入賞部品２１乃至３１および遊技釘２０などに衝突して流れる方向を変えながら第１乃至第２２入賞口３２乃至５３に入賞する。
【００３４】
図５において、入賞部品欄の第１乃至第１１は、図３の第１乃至第１１入賞部品２１乃至３１を表す。入賞口欄の第１乃至第２２は、図３の第１乃至第２２入賞口３２乃至５３を表す。払出欄の○印は、当該欄の左側に位置する入賞口への入賞に対し、賞球が払い出されることを表す。払出欄の×印は、当該欄の左側に位置する入賞口への入賞に対し、賞球が払い出されないことを表す。連動欄の○印は、当該欄の左側に位置する入賞口への入賞に対し、連動する入賞口が有ることを表す。連動欄の○印の右側には、連動する入賞口の該当する番号を表す。連動する入賞口の該当する番号は、図３の第８乃至第１１入賞口３９乃至４２と第１３入賞口４４と第１５入賞口４６と第１７乃至第２２入賞口４８乃至５３を表す。
【産業上の利用可能性】
【００３５】
入賞部品の個数は、第１乃至第１１入賞部品２１乃至３１からなる１１個に限定されるものではなく、２個から１０個までの範囲、１２個以上であっても適用できる。風車５４を取り除き、振分部材を遊技釘などの突起物で構成し、この振分部材を構成する突起物が支持体５７を設ける位置に配置されるように遊技基盤２Ａに固定されてもよい。第８乃至第１１入賞口３９乃至４２の開閉体ａを第３入賞部品２３の裏部に設けた電磁ソレノイドで開閉するように構成されてもよい。第１３入賞口４４の開閉体ｂ；ｃを第４入賞部品２４の裏部に設けた電磁ソレノイドで開閉するように構成されてもよい。第１５入賞口４６の開閉体ｂ；ｃを第５入賞部品２５の裏部に設けた電磁ソレノイドで開閉するように構成されてもよい。第１７入賞口４８の開閉体ｂ；ｃを第６入賞部品２６の裏部に設けた電磁ソレノイドで開閉するように構成されてもよい。第１８入賞口４９の開閉体ｂ；ｃを第７入賞部品２７の裏部に設けた電磁ソレノイドで開閉するように構成されてもよい。第１９入賞口５０の開閉体ｂ；ｃを第８入賞部品２８の裏部に設けた電磁ソレノイドで開閉するように構成されてもよい。第２０入賞口５１の開閉体ｂ；ｃを第９入賞部品２９の裏部に設けた電磁ソレノイドで開閉するように構成されてもよい。第２１入賞口５２の開閉体ｂ；ｃを第９入賞部品２９の裏部に設けた電磁ソレノイドで開閉するように構成されてもよい。第２１入賞口５２の開閉体ｂ；ｃを第１０入賞部品３０の裏部に設けた電磁ソレノイドで開閉するように構成されてもよい。第２２入賞口５３の開閉体ｂ；ｃを第１１入賞部品３１の裏部に設けた電磁ソレノイドで開閉するように構成されてもよい。
【００３６】
第８乃至第１１入賞口３９乃至４２の少なくとも１つの入賞口における開閉体ａが第１５入賞口４６の開閉体ｂ；ｃに類似する左右に一対の開閉体で構成されてもよい。第１３入賞口４４、第１５入賞口４６、第１７乃至第２２入賞口４８乃至５３の少なくとも１つの入賞口における開閉体ｂ；ｃは、第８入賞口３９の開閉体ａに類似する前後に開閉する一体の開閉体で構成されてもよい。電磁ソレノイドで開閉体ａ；ｂ；ｃを開閉する場合、球検出器が入賞口に入賞した球を検出した球検出信号が遊技基盤２Ａの裏部または可動枠４の裏部に設けられた制御装置に出力され、この球検出信号の入力された制御装置が電磁ソレノイドを制御することによって、電磁ソレノイドが開閉体ａ；ｂ；ｃを開閉するように駆動する。
【図面の簡単な説明】
【００３７】
【図１】遊技盤の上段および下段の入賞口周りの球の流れを示す正面図（最良の形態）。
【図２】遊技盤の上段および下段の入賞口の相互関係を示す正面図（最良の形態）。
【図３】遊技盤の正面図（最良の形態）。
【図４】パチンコ遊技機の正面図（最良の形態）。
【図５】第１乃至第１１入賞部品と第１乃至第２２入賞口と払出と連動との相互関係を示す図表（最良の形態）。
【符号の説明】
【００３８】
２    遊技盤
２Ａ  遊技基盤
１３  遊技領域
１４  内ガイドレール（ガイドレール）
３７  第６入賞口（特定入賞口）
４４  第１３入賞口（外側の可変入賞口）
４６  第１５入賞口（外側の可変入賞口）
４８  第１７入賞口（内側の可変入賞口）
４９  第１８入賞口（内側の可変入賞口）
５０  第１９入賞口（内側の可変入賞口）
ｂ    開閉体
ｃ    開閉体
【図１】
2007289547.tif 000003
【図２】
2007289547.tif 000004
【図３】
2007289547.tif 000005
【図４】
2007289547.tif 000006
【図５】
2007289547.tif 000007